(57)【特許請求の範囲】
【請求項１】
開閉する扉に取り付けられるケース本体と、
前記ケース本体に設けられ、前記扉が開閉して、前記ケース本体が床面に回動可能に設けられた金属製ストッパー板の上方に位置すると、前記金属製ストッパー板を前記ケース本体に引き寄せる磁石と、
前記ケース本体に出没可能かつ回動可能に設けられ、前記磁石により引き寄せた前記金属製ストッパー板を係止して前記扉の開閉を規制する係止部材と、
前記係止部材を突出する方向に付勢する弾性部材とを備えたドアストッパーであって、
前記ケース本体には、突出時の前記係止部材をロックするロック位置とロックしない非ロック位置に移動可能なロック部材と、このロック部材を操作する操作部材と、が設けられ、
前記係止部材には、該側面に支軸が設けられ、
前記支軸は、前記ケース本体の凹部に回動可能かつ出没する方向に摺動可能に取り付けられている
ことを特徴とするドアストッパー。
【請求項２】
前記操作部材は、前記ケース本体に摺動可能に取り付けられたカバー体であって、
前記ロック部材は、前記カバー体の一側に取り付けられていることを特徴とする請求項１記載のドアストッパー。
【請求項３】
前記操作部材は、前記ケース本体の一側に形成された開口から突出する操作レバーであって、
当該操作レバーは、前記ロック部材に取り付けられていることを特徴とする請求項１記載のドアストッパー。
【請求項４】
前記係止部材は、前記ケース本体から突出する突出部の一方の面に前記金属製ストッパー板と摺接する傾斜面が形成され、前記突出部の他方の面に前記金属製ストッパー板を係止する係止部が形成されていることを特徴する請求項１、２又は３記載のドアストッパー。
【請求項５】
前記係止部材は、前記磁石を挟んで両側であって、前記係止部が対向するように前記ケース本体に配置されていることを特徴とする請求項４記載のドアストッパー。
【発明の詳細な説明】
【技術分野】
【０００１】
本願発明は、扉を床面等に設けられた金属製ストッパー板の上方の位置まで開くと、金属製ストッパー板を磁石により引き上げて係止させ、扉の開閉を規制させるドアストッパーに関する。
【背景技術】
【０００２】
従来のドアストッパーは、開閉する扉に取り付けられるケース本体を有する。ケース本体には、床面に回動可能に設けられた金属製ストッパー板を引き寄せてケース本体の底面に係合させる磁石と、この磁石により引き寄せた金属製ストッパー板の先端を当接させて扉の開放を阻止する係止凸部と、金属製ストッパー板の一側を係止して扉の閉鎖を阻止する係止部材とが設けられている。このように、従来のドアストッパーは、開閉する扉の回転を規制する。
【０００３】
上記した係止部材には、ケース本体の下部に固定して設けられたものや（例えば、特許文献１）、ケース本体の開口から突出する操作レバーによって、ケース本体の下部から出没するものが存在する（例えば、特許文献２）。また、ケース本体に摺動可能に取り付けられたカバー体によって、ケース本体の下部から出没するものが存在する（例えば、特許文献３）。
【先行技術文献】
【特許文献】
【０００４】
【特許文献１】特開２００３−３３６４２５号公報
【特許文献２】特開２０１３−１３００２４号公報
【特許文献３】特開２０１０−４８０５３号公報
【発明の概要】
【発明が解決しようとする課題】
【０００５】
従来のドアストッパーは、上記したように、扉を開くと、扉に取り付けたケース本体の磁石が、床面に設けられた金属製ストッパー板を引き寄せてケース本体の係止凸部に当接させ、扉がこれ以上開くのを阻止し、扉の閉じ方向への回動を係止部材が阻止する。係止部材が下部に固定されているドアストッパーの場合は、磁石によって引き寄せられた金属製ストッパー板が係止部材を乗り越えてケース本体の底面に係合し、係止凸部に当接するのであるが、この乗り越え時に金属製ストッパー板が磁石から離されてケース本体から外れてしまう場合があった。そのため、扉の開放を阻止することができないという不都合が生じるという問題点があった。
【０００６】
従って、従来のドアストッパーは、操作レバー又はカバー体のロック操作によって、係止部材をケース本体の下部から出没させて扉をロックするようにしているが、使用者は、身体を屈ませてドアの下部に設けたドアストッパーを操作しなければならず、手間がかかるという問題点があった。従来のドアストッパーは、扉をドアストッパーに仮止めさせる機構を備えておらず、扉をドアストッパーに固定するためには上記した面倒なロック操作を行わなければならない。従来のドアストッパーは、一時的に扉を開けておく場合は、ロックしないことがほとんどであった。特に、荷物の出し入れで両手が塞がっている場合はドアストッパーをロックすることがほとんどなかった。そのため、通過中に扉が閉まって作業の障害になるという問題点があった。
【０００７】
本願発明は、上記問題点に鑑み案出したものであって、扉を仮止めする仮止め機構と、扉を本止めする本止め機構を有し、状況に合わせて選択することができるドアストッパーを提供することを目的とする。
【課題を解決するための手段】
【０００８】
本願請求項１に係るドアストッパーは、上記目的を達成するため、開閉する扉に取り付けられるケース本体と、前記ケース本体に設けられ、前記扉が開閉して、前記ケース本体が床面に回動可能に設けられた金属製ストッパー板の上方に位置すると、前記金属製ストッパー板を前記ケース本体に引き寄せる磁石と、前記ケース本体に出没可能かつ回動可能に設けられ、前記磁石により引き寄せた前記金属製ストッパー板を係止して前記扉の開閉を規制する係止部材と、前記係止部材を突出する方向に付勢する弾性部材とを備えたドアストッパーであって、前記ケース本体には、突出時の前記係止部材をロックするロック位置とロックしない非ロック位置に移動可能なロック部材と、このロック部材を操作する操作部材と、が設けられ、前記係止部材には、該側面に支軸が設けられ、前記支軸は、前記ケース本体の凹部に回動可能かつ出没する方向に摺動可能に取り付けられていることを特徴とする。
【０００９】
本願請求項２に係るドアストッパーは、上記目的を達成するため、前記操作部材は、前記ケース本体に摺動可能に取り付けられたカバー体であって、前記ロック部材は、前記カバー体の一側に取り付けられていることを特徴とする。
【００１０】
本願請求項３に係るドアストッパーは、上記目的を達成するため、前記操作部材は、前記ケース本体の一側に形成された開口から突出する操作レバーであって、当該操作レバーは、前記ロック部材に取り付けられていることを特徴とする。
【００１１】
本願請求項４に係るドアストッパーは、上記目的を達成するため、前記係止部材は、前記ケース本体から突出する突出部の一方の面に前記金属製ストッパー板と摺接する傾斜面が形成され、前記突出部の他方の面に前記金属製ストッパー板を係止する係止部が形成されていることを特徴する。
【００１２】
本願請求項５に係るドアストッパーは、上記目的を達成するため、前記係止部材は、前記磁石を挟んで両側であって、前記係止部が対向するように前記ケース本体に配置されていることを特徴とする。
【発明の効果】
【００１３】
本願発明に係るドアストッパーは、開閉する扉に取り付けられるケース本体と、ケース本体に設けられ、扉が開閉して、ケース本体が床面に回動可能に設けられた金属製ストッパー板の上方に位置すると、金属製ストッパー板をケース本体に引き寄せる磁石と、ケース本体に出没可能かつ回動可能に設けられ、前記磁石により引き寄せた金属製ストッパー板を係止して扉の開閉を規制する係止部材と、前記係止部材を突出する方向に付勢する弾性部材とを備えたドアストッパーであって、ケース本体には、突出時の前記係止部材をロックするロック位置とロックしない非ロック位置に移動可能なロック部材と、このロック部材を操作する操作部材とが設けられている。
【００１４】
本願発明に係るドアストッパーは、操作部材を操作してロック部材を非ロック位置に移動しておき、扉を開くと、扉に取り付けたケース本体の磁石が、床面に設けられた金属製ストッパー板を引き寄せる。係止部材は、弾性部材によって突出方向に付勢されており、金属製ストッパー板が接触すると、弾性部材の弾性に抗して反突出方向に移動し、金属製ストッパー板が乗り越え易くなっている。金属製ストッパー板は、係止部材を乗り越えると、係止部材が弾性部材によって突出し係止される。係止部材は、弾性部材の弾性力により突出方向に付勢されているだけなので、この弾性力以下の力で扉を回動させようとしても金属製ストッパー板を係止し続けている。係止部材は、弾性部材の弾性力以上の力で扉を回動させると、金属製ストッパー板によって、回転若しくは上動し、金属製ストッパー板の係止を解除して扉は回転する。本願発明に係るドアストッパーは、操作部材を操作してロック部材をロック位置に移動しておくと、係止部材は弾性部材によって突出方向に付勢された位置でロックされており、金属製ストッパー板が接触しても、係止部材は回転も上動もせず、扉は回転しない。このように、本願発明に係るドアストッパーは、ロック部材を非ロック位置に移動させておくと、扉を仮止めしておき、扉に強めの力を加えると回動させることができる一方、ロック部材をロック位置に移動させておくと、扉を本止めしておくことができ、二種類の止め方を選択することができるという効果がある。
【００１５】
本願発明に係るドアストッパーは、前記操作部材が、ケース本体に摺動可能に取り付けられたカバー体であって、前記ロック部材が、前記カバー体の一側に取り付けられている。本願発明に係るドアストッパーは、上記効果に加え、操作部材がカバー体であるので、部品点数を減らして安価に製造することができ、扉の側面に取り付けることができるという効果がある。
【００１６】
本願発明に係るドアストッパーは、前記操作部材が、ケース本体の一側に形成された開口から突出する操作レバーであって、当該操作レバーが、前記ロック部材に取り付けられている。本願発明に係るドアストッパーは、上記効果に加え、操作部材がケース本体の一側から突出する操作レバーであるので、扉の底壁に形成された凹部に収納することができ、邪魔にならず、扉の外観を損なわないという効果がある。
【００１７】
本願発明に係るドアストッパーは、前記係止部材が、ケース本体から突出する突出部の一方の面に前記金属製ストッパー板と摺接する傾斜面が形成され、突出部の他方の面に前記金属製ストッパー板を係止する係止部が形成されている。本願発明に係るドアストッパーは、上記効果に加え、操作部材を操作してロック部材を非ロック位置に移動しておき、扉を開くと、扉に取り付けたケース本体の磁石が、床面に設けられた金属製ストッパー板を引き寄せる。係止部材は、弾性部材によって突出方向に付勢されており、金属製ストッパー板が傾斜面に摺接すると、弾性部材の弾性に抗して反突出方向に移動し、金属製ストッパー板が乗り越え易くなっている。金属製ストッパー板は、係止部材を乗り越えると、係止部材が弾性部材によって突出し、係止部材の係止部に係止される。係止部材は、弾性部材の弾性力により突出方向に付勢されているだけなので、この弾性力以下の力で扉を回動させようとしても金属製ストッパー板を係止し続けている。係止部材は、弾性部材の弾性力以上の力で扉を回動させると、金属製ストッパー板によって回転し、金属製ストッパー板の係止を解除して扉は開閉する。
【００１８】
本願発明に係るドアストッパーは、操作部材を操作してロック部材をロック位置に移動しておくと、係止部材は弾性部材によって突出方向に付勢された位置でロックされており、金属製ストッパー板が接触しても、係止部材は回転も上動もせず、扉は開閉しない。このように、本願発明に係るドアストッパーは、ロック部材を非ロック位置に移動させておくと、扉を仮止めしておき、扉に強めの力を加えると回動させることができる一方、ロック部材をロック位置に移動させておくと、扉を本止めしておくことができ、二種類の止め方を選択することができる。
【００１９】
本願発明に係るドアストッパーは、前記係止部材が、磁石を挟んで両側であって、係止部が対向するようにケース本体に配置されているので、一つで、開閉方向の異なるどの扉にも対応させることができるという効果がある。
【図面の簡単な説明】
【００２０】
【図１】本願発明に係るドアストッパーの一つの実施の形態を示す分解斜視図である。
【図２】図１のドアストッパーの組立説明図であって、（ａ）が正面図、（ｂ）が側面図、（ｃ）が上面図である。
【図３】図１のドアストッパーの組立斜視図であって、（ａ）が上方から見た斜視図、（ｂ）が下方から見た斜視図である。
【図４】図１のドアストッパーの組立説明斜視図であって、（ａ）が正面図、（ｂ）が下から見た斜視図である。
【図５】図１のドアストッパーのケース本体の説明図であって、（ａ）が正面図、（ｂ）が左側面図、（ｃ）が右側面図、（ｄ）が背面図、（ｅ）が上面図、（ｆ）が底面図、（ｇ）がＡ−Ａ断面図である。
【図６】図１のドアストッパーのカバー体の説明図であって、（ａ）が正面図、（ｂ）が左側面図、（ｃ）が右側面図、（ｄ）が背面図、（ｅ）が上面図、（ｆ）が底面図である。
【図７】図１のドアストッパーの動作説明図である。
【図８】本願発明に係るドアストッパーの他の実施の形態を示す分解斜視図である。
【図９】図８のドアストッパーの組立説明図であって、（ａ）が略中央で裁断した斜視図、（ｂ）が側面断面図である。
【図１０】図８のドアストッパーの組立斜視図であって、（ａ）が正面図、（ｂ）が左上方から見た斜視図、（ｃ）が右上方から見た斜視図、（ｄ）が左下方から見た斜視図、（ｅ）が右下方から見た斜視図である。
【図１１】図８のドアストッパーの組立説明斜視図であって、（ａ）が左下方から見た斜視図、（ｂ）が右下方から見た斜視図である。
【図１２】図８のドアストッパーのケース本体の説明図であって、（ａ）が正面図、（ｂ）が左側面図、（ｃ）が右側面図、（ｄ）が上面図、（ｅ）が底面図、（ｆ）がＡ−Ａ断面図である。
【図１３】図８のドアストッパーのカバー体の説明図であって、（ａ）が正面図、（ｂ）が左側面図、（ｃ）が右側面図、（ｄ）が上面図、（ｅ）が底面図、（ｆ）がＡ−Ａ断面図である。
【図１４】図８のドアストッパーの内部構造を説明する斜視図である。
【図１５】図８のドアストッパーの動作説明図である。
【発明を実施するための形態】
【００２１】
本願発明に係るドアストッパーの概要を説明する。図１，８に示すように、ドアストッパー１，１０１は、開閉する扉Ｄに取り付けられるケース本体１０，１１０と、ケース本体１０，１１０に設けられ、扉Ｄが開閉して、ケース本体１０，１１０が床面に回動可能に設けられた金属製ストッパー板８１の上方に位置すると、金属製ストッパー板８１をケース本体１０，１１０に引き寄せる磁石３４，１４２と、ケース本体１０，１１０に出没可能かつ回動可能に設けられ、前記磁石３４，１４２により引き寄せた金属製ストッパー板８１を係止して扉Ｄの開閉を規制する係止部材５１，１５１と、前記係止部材５１，１５１を突出する方向に付勢する弾性部材６０，１６０とを備えている。ケース本体１０，１１０には、突出時の前記係止部材５１，１５１をロックするロック位置とロックしない非ロック位置に移動可能なロック部材７０、１７０と、このロック部材７０、１７０を操作する操作部材４０，１８１とが設けられている。
【００２２】
図７，１５に示すように、ドアストッパー１，１０１は、操作部材４０，１８１を操作してロック部材７０、１７０を非ロック位置に移動しておき、扉Ｄを開くと、扉Ｄに取り付けたケース本体１０，１１０の磁石３４，１４２が、床面に設けられた金属製ストッパー板８１を引き寄せる。係止部材５１，１５１は、弾性部材６０，１６０によって突出方向に付勢されており、金属製ストッパー板８１が接触すると、弾性部材６０，１６０の弾性に抗して反突出方向に移動し、金属製ストッパー板８１が乗り越え易くなっている。金属製ストッパー板８１は、係止部材５１，１５１を乗り越えると、係止部材５１，１５１が弾性部材６０，１６０によって突出し係止される。係止部材５１，１５１は、弾性部材６０，１６０の弾性力により突出方向に付勢されているだけなので、この弾性力以下の力で扉を回動させようとしても金属製ストッパー板８１を係止し続けている。係止部材５１，１５１は、弾性部材６０，１６０の弾性力以上の力で扉を回動させると、金属製ストッパー板８１によって、回転若しくは上動し、金属製ストッパー板８１の係止を解除して扉は回転する。
【００２３】
ドアストッパー１，１０１は、操作部材４０，１８１を操作してロック部材７０、１７０をロック位置に移動しておくと、係止部材５１，１５１は弾性部材６０，１６０によって突出方向に付勢された位置でロックされており、金属製ストッパー板８１が接触しても、係止部材５１，１５１は回転も上動もせず、扉Ｄは回転しない。このように、ドアストッパー１，１０１は、ロック部材７０、１７０を非ロック位置に移動させておくと、扉Ｄを仮止めしておき、扉Ｄに強めの力を加えると回動させることができる一方、ロック部材７０、１７０をロック位置に移動させておくと、扉を本止めしておくことができ、二種類の止め方を選択することができる。
【００２４】
ドアストッパー１は、前記操作部材が、ケース本体１０に摺動可能に取り付けられたカバー体４０であって、前記ロック部材７０が、前記カバー体４０の一側に取り付けられている。ドアストッパー１は、操作部材がカバー体４０であるので、部品点数を減らして安価に製造することができ、扉Ｄの側面に取り付けることができる。
【００２５】
ドアストッパー１０１は、前記操作部材が、ケース本体１１０の一側に形成された開口１１３ｂから突出する操作レバー１８１であって、当該操作レバー１８１が、前記ロック部材１７０に取り付けられている。ドアストッパー１０１は、操作部材がケース本体１１０の一側から突出する操作レバー１８１であるので、扉Ｄの底壁に形成された凹部に収納することができ、邪魔にならず、扉の外観を損なわない。
【００２６】
ドアストッパー１，１０１は、前記係止部材５１，１５１が、ケース本体１０，１１０から突出する突出部の一方の面に前記金属製ストッパー板８１と摺接する傾斜面５５，１５５が形成され、突出部の他方の面に前記金属製ストッパー板８１を係止する係止部５６，１５６が形成されている。ドアストッパー１，１０１は、操作部材４０，１８１を操作してロック部材７０、１７０を非ロック位置に移動しておき、扉をＤ開くと、扉Ｄに取り付けたケース本体１０，１１０の磁石３４，１４２が、床面に設けられた金属製ストッパー板８１を引き寄せる。係止部材５１，１５１は、弾性部材６０，１６０によって突出方向に付勢されており、金属製ストッパー板８１が傾斜面５５，１５５に摺接すると、弾性部材６０，１６０の弾性に抗して反突出方向に移動し、金属製ストッパー板８１が乗り越え易くなっている。金属製ストッパー板８１は、係止部材５１，１５１を乗り越えると、係止部材５１，１５１が弾性部材６０，１６０によって突出し、係止部材５１，１５１の係止部５６，１５６に係止される。係止部材５１，１５１は、弾性部材６０，１６０の弾性力により突出方向に付勢されているだけなので、この弾性力以下の力で扉Ｄを回動させようとしても金属製ストッパー板８１を係止し続けている。係止部材５１，１５１は、弾性部材６０，１６０の弾性力以上の力で扉Ｄを回動させると、金属製ストッパー板８１によって回転し、金属製ストッパー板８１の係止を解除して扉Ｄは回転する。
【００２７】
ドアストッパー１，１０１は、操作部材４０，１８１を操作してロック部材７０、１７０をロック位置に移動しておくと、係止部材５１，１５１は弾性部材６０，１６０によって突出方向に付勢された位置でロックされており、金属製ストッパー板８１が接触しても、係止部材５１，１５１は回転も上動もせず、扉Ｄは回転しない。このように、ドアストッパー１，１０１は、ロック部材７０、１７０を非ロック位置に移動させておくと、扉Ｄを仮止めしておき、扉Ｄに強めの力を加えると回動させることができる一方、ロック部材７０、１７０をロック位置に移動させておくと、扉Ｄを本止めしておくことができ、二種類の止め方を選択することができる。
【００２８】
ドアストッパー１０１は、前記係止部材１５１が、磁石１４２を挟んで両側であって、係止部１５６が対向するように配置されているので、一つで、開閉方向の異なるどの扉Ｄにも対応させることができる。
【００２９】
さらにドアストッパーについて詳細に説明する。図１に示すように、ドアストッパー１は、ケース本体１０とカバー体４０とからなる。ケース本体１０は、図５に示すように、合成樹脂により一体成形され、背面壁１１と、背面壁１１の下端に設けられた底壁１２とを有する。ケース本体１０は、略中央の上下方向に向かって、断面矩形状のガイド路１３が貫通して形成されている。
【００３０】
ガイド路１３は、左右両側に形成された左側壁１５及び右側壁１６と、左側壁１５及び右側壁１６に挟まれて前後両側に形成された前側壁２１及び後側壁２５とで構成されている。ガイド路１３の左右両側に形成された左及び右側壁１５，１６には、略Ｕ字状の軸受け凹部１７，１８が設けられている。また、ガイド路１３の前側に形成された前側壁２１の前面の上下には、左右方向に伸びる係止溝２２，２３が設けられている。
【００３１】
ガイド路１３の後側に形成された後側壁２５の上方には、取付突起２６が設けられている。取付突起２６と左側壁１５及び右側壁１６の上端の間には、差し込み空間２７が形成される。取付突起２６の下面略中央には、係止段部２９が形成されている。前記底壁１２の後端部には、左右方向に伸びる係止凸部３０が突設されている。また、底壁１２の右側には、磁石収納部３１が形成されている。当該磁石収納部３１には、背面壁１１に設けられた開口３２と連通する磁石収納室３３が形成されている。当該磁石収納室３３内には、開口３２から磁石３４が収納されている。また、背面壁１１のガイド路１３を挟んで左右両側には、ねじ穴３５，３６が形成されている。
【００３２】
カバー体４０は、ケース本体１０に摺動可能に取り付けられる構成となっている。カバー体４０は、図６に示すように、合成樹脂により一体成形され、前板４１と、前板４１の上端に形成された上板４２と、前板４１と上板４２の左端に形成された左板４３と、前板４１と上板４２の右端に形成された右板４４とからなる。左板４３と右板４４の後端には、前記ケース本体１０の背面壁１１に摺動可能に係合する係合片４５，４６が設けられている。前板４１の内面上部には、連結突起４７が突設形成されている。
【００３３】
図１に示すように、ケース本体１０のガイド路１３には、係止部材５１が上下方向に摺動可能且つ回動可能に設けられている。係止部材５１は、合成樹脂により矩形軸状に形成され、前面５１ａの上下に半円状の当接突起５２，５３が形成されている。係止部材５１の上壁５４は、当接突起５２と略同じ曲率で、当接突起５２と連続して湾曲形成されている。係止部材５１の前面５１ａ下部には、前面５１ａから後面５１ｂに向かって下降傾斜する傾斜面５５が形成されている。係止部材５１の後面５１ｂ下部には、係止部５６が形成されている。この係止部５６には、略Ｖ字状の係止突起５７が形成されている。係止部材５１は、上部の左右側面に支軸５８，５９が設けられている。
【００３４】
係止部材５１は、左側の支軸５８がケース本体１０の左側壁１５の軸受け凹部１７に回動可能且つ上下方向に摺動可能に取り付けられ、右側の支軸５９がケース本体１０の右側壁１６の軸受け凹部１８に回動可能且つ上下方向に摺動可能に取り付けられようにして、ガイド路１３に挿設されている。前記係止部材５１は、弾性部材６０によって下方に付勢され、下部がケース本体１０の底壁１２から突出する。
【００３５】
弾性部材６０は、バネ部材であって、下端が係止部材５１の上壁５４に圧接し、上端がバネホルダー６１に取り付けられている。バネホルダー６１は、合成樹脂により一体成形され、固定板６２と、固定板６２の下面に形成された筒状のバネ受け部６３と、固定板６２の左右両側に設けられた係止縁６４，６５と、固定板６２の後端に一対の切り欠きによって形成された弾性片６６と、弾性片６６の後部上端に形成された係止爪６７とからなる。バネホルダー６１は、固定板６２が、取付突起２６と左側壁１５及び右側壁１６の上端の間の差し込み空間２７に差し込まれ、係止爪６７が係止段部２９に係止されて、ケース本体１０に取り付けられている。バネホルダー６１のバネ受け部６３には、前記したバネ部材６０が差し込んで取り付けられており、バネ部材６０の下端が係止部材５１の上壁５４を圧接し、係止部材５１を下方に付勢している。
【００３６】
また、図１に示すように、ケース本体１０のガイド路１３には、係止部材５１と共にロック部材７０が上下方向に摺動可能に設けられている。ロック部材７０は、合成樹脂により一体成形され、矩形軸状に形成されたロック本体７１と、ロック本体７１の上部に形成された連結溝部７２と、ロック本体７１の前部に形成された弾性係止板７３とからなる。弾性係止板７３の内面には、前記したケース本体１０の前側壁２１の係止溝２２（又は２３）に、素材の弾性により係止される係止突起７５が形成さている。
【００３７】
ロック部材７０は、図７に示すように、ロック本体７１がガイド路１３内に摺動可能に配置され、ロック本体７１の後面７６が係止部材５１の当接突起５２（又は５２と５３）に接触する。ロック部材７０は、カバー体４０の連結突起４７が連結溝部７２に差し込み連結されて、カバー体４０に取り付けられている。ロック部材７０は、素材の弾性により係止突起７５がケース本体１０の前側壁２１の係止溝２２（又は２３）に、係止されており、係止突起７５が係止溝２２に係止されている場合には、図７（ｂ）に示すように、ロック本体７１の後面７６が係止部材５１の当接突起５２だけに接触し、係止突起７５が係止溝２３に係止されている場合には、図７（ｇ）に示すように、ロック本体７１の後面７６が係止部材５１の当接突起５２及び２３の両方に接触するようになっている。
【００３８】
金属製ストッパー板８１は、図２に示すように、床面Ｆに固定される基台８５に回動可能に取り付けられている。金属製ストッパー板８１は、長板状に形成され、一端両側に取付軸８３，８３が形成され、他端側近傍に係合開口８２が形成されている。基台８５は、床面Ｆに固定される底板８６と、底板８６に接合固定されるカバー８７とからなる。底板８６は、平板状に形成され、一対のネジ通し穴８６ａ，８６ａと、一対の係合穴８６ｂ，８６ｂが設けられ、さらに軸受け部８６ｃ，８６ｃが形成されている。金属製ストッパー板８１は、底板８６の軸受け部８６ｃ，８６ｃに取付軸８３，８３が回動可能に枢着されて取り付けられ、カバー８７に形成された矩形状凹部８９内に位置している。底板８６は、ネジ通し穴８６ａ，８６ａにネジを挿通して床面Ｆに螺着して固定される。
【００３９】
ドアストッパー１は、上記構成を有し、上記ケース本体１０は、図２に示すように、開閉する扉Ｄの下部側面にネジ等によって取り付けられる。即ち、ケース本体１０からカバー体４０を外し、ケース本体１０のねじ穴３５，３６にネジを挿通して、このネジを扉Ｄにねじ込むことによって、ケース本体１０が扉Ｄに固定して取り付けられる。扉Ｄに固定したケース本体１０の背面壁１１にカバー体４０の係合片４５，４６を係合させ、カバー４０をケース本体１０に上下方向に摺動可能に取り付ける。金属製ストッパー板８１は、床面Ｆに回動可能に取り付けられている。
【００４０】
ドアストッパー１の初期状態は、図７（ａ）に示すように、ロック部材７０の係止突起７５がケース本体１０の前側壁２１の上側の係止溝２２に係止されており、ロック本体７１の後面７６が係止部材５１の当接突起５２だけに接触している。係止部材５１は、弾性部材６０の下端が上壁５４に弾接されて下方に付勢され、後面５１ｂがガイド路１３の後側壁２５に案内され、支軸５８，５９が軸受け凹部１７，１８の下端に圧接して、この状態で止められている。さらに、弾性部材６０の弾性力は、支軸５８，５９の中心より前部に作用し、係止部材５１の後面５１ｂがガイド路１３の後側壁２５に圧接する。この状態は、仮止め状態（仮保持状態）である。
【００４１】
係止部材５１は、弾性部材６０によって下方且つ反時計方向（ガイド路１３の後側壁２５に圧接する方向）に付勢されているが、当接突起５３がロック本体７１の後面７６に接触していないので、回動可能である。即ちこの初期状態は、ロック部材７０が非ロック位置にある非ロック状態である。
【００４２】
扉Ｄを開放方向Ｘに回動し、ドアストッパー１が金属製ストッパー板８１の上方に移動すると、図７（ｂ）に示すように、磁石３４によって金属製ストッパー板８１が上方に引き上げられ、金属製ストッパー板８１の先端８４がケース本体１０の底壁１２に当接し、さらに底壁１２から突出している係止部材５１の傾斜面５５に接触する。磁石３４により金属製ストッパー板８１を底壁１２に引き付ける吸引力が、弾性部材６０の弾性復元力より強く設定していると、金属製ストッパー板８１の先端８４が係止部材５１の傾斜面５５に摺接して、図７（ｃ）に示すように、係止部材５１を弾性部材６０の弾性に抗して押し上げる。金属製ストッパー板８１の先端８４は、ケース本体１０の底壁１２に摺接して、底壁１２の係止凸部３０に係止される。
【００４３】
金属製ストッパー板８１の先端８４が係止凸部３０に係止されると、金属製ストッパー板８１の係合開口８２が係止部材５１の下方に位置し、図７（ｄ）に示すように、係止部材５１の下部が金属製ストッパー板８１の係合開口８２内に突出する。 扉Ｄは、このようにして、ドアストッパー１により開放が規制される。
【００４４】
図７（ｅ）に示すように、扉Ｄを閉鎖方向Ｙに回動すると、係止部材５１の係止突起５７が係合開口８２の周縁に係合し、扉Ｄの閉鎖方向Ｙへの回動が規制される。この回動規制は、弾性部材６０の弾性力によるもので、仮保持状態（仮止め状態）となっている。図７（ｆ）に示すように、扉Ｄを閉鎖方向Ｙに、弾性部材６０の弾性力より強く回動すると、係止部材５１が支軸５８，５９を中心として時計方向（ガイド路１３の後側壁２５から離れる方向）に回転し、係止部材５１の係止突起５７が係合開口８２の周縁から外れ、扉Ｄは閉鎖方向Ｙに回動する。このように、ドアストッパー１は、初期状態において、扉Ｄの仮止めを行うことができる。
【００４５】
図７（ｄ）に示すように、係止部材５１の下部が金属製ストッパー板８１の係合開口８２内に突出した状態において。図７（ｇ）に示すように、カバー体４０を押圧すると、ロック部材７０の係止突起７５がケース本体１０の前側壁２１の下側の係止溝２３に係止され、ロック本体７１の後面７６が係止部材５１の当接突起５２及び当接突起５３に接触する。係止部材５１は、弾性部材６０の下端が上壁５４に弾接されて下方に付勢され、後面５１ｂがガイド路１３の後側壁２５に案内され、支軸５８，５９が軸受け凹部１７，１８の下端に圧接して、この状態で止められている。さらに、弾性部材６０の弾性力は、支軸５８，５９の中心より前部に作用し、係止部材５１の後面５１ｂがガイド路１３の後側壁２５に圧接する。係止部材５１は、ロック本体７１とガイド路１３の後側壁２５に挟み込まれ、回動不能のロック状態（本止め状態）となっている。扉Ｄは、このようにして、ドアストッパー１の係止凸部３０及び係止部材５１により開放及び閉鎖が規制される。
【００４６】
図７（ｈ）に示すように、扉Ｄを閉鎖方向Ｙに回動すると、係止部材５１の係止突起５７が係合開口８２の周縁に係合し、扉Ｄの閉鎖方向Ｙへの回動が完全に規制される。この回動規制は、ロック部材７０によるもので、完全保持状態（本止め状態）となっている。従って、扉Ｄを閉鎖方向Ｙにより強く回動しても、係止部材５１の係止突起５７が係合開口８２の周縁から外れることはない。このように、ドアストッパー１は、ロック状態において、扉Ｄの開閉を完全に阻止することができる。なお、図７（ｉ）に示すように、カバー体４０を引き上げると、ロック部材７０の係止突起７５がケース本体１０の前側壁２１の上側の係止溝２２に係止され、ロック本体７１の後面７６が係止部材５１の当接突起５２のみに接触し、初期状態に戻るので、図７（ｆ）に示すように、扉Ｄを閉鎖方向Ｙに回動させることができる。
【００４７】
図７（ｊ）に示すように、カバー体４０を押圧し、ロック部材７０の係止突起７５がケース本体１０の前側壁２１の下側の係止溝２３に係止され、ロック本体７１の後面７６が係止部材５１の当接突起５２及び当接突起５３に接触する。このロック本体７１が係止部材５１の当接突起５２及び当接突起５３に接触して係止部材５１が回動不能にロックされた状態において、係止部材５１は、弾性部材６０の下端が上壁５４に弾接されて下方に付勢され、後面５１ｂがガイド路１３の後側壁２５に案内され、支軸５８，５９が軸受け凹部１７，１８の下端に圧接している。
【００４８】
ドアストッパー１をロック状態で扉Ｄを開放方向Ｘに回動し、ドアストッパー１が金属製ストッパー板８１の上方に移動すると、図７（ｋ）に示すように、磁石３４によって金属製ストッパー板８１が上方に引き上げられ、金属製ストッパー板８１の先端８４がケース本体１０の底壁１２に当接し、さらに底壁１２から突出している係止部材５１の傾斜面５５に接触する。磁石３４により金属製ストッパー板８１を底壁１２に引き付ける吸引力が、弾性部材６０の弾性復元力より強く設定していると、金属製ストッパー板８１の先端８４が係止部材５１の傾斜面５５に摺接して、図７（ｌ）に示すように、係止部材５１を弾性部材６０の弾性に抗して押し上げる。金属製ストッパー板８１の先端８４は、ケース本体１０の底壁１２に摺接して、底壁１２の係止凸部３０に係止される。
【００４９】
金属製ストッパー板８１の先端８４が係止凸部３０に係止されると、金属製ストッパー板８１の係合開口８２が係止部材５１の下方に位置し、図７（ｍ）に示すように、係止部材５１の下部が金属製ストッパー板８１の係合開口８２内に突出する。 扉Ｄは、このようにして、ドアストッパー１により開放が規制される。この係止部材５１は、弾性部材６０の弾性に抗して上下動可能であるが、ロック本体７１とガイド路１３の後側壁２５に挟み込まれ、回動不能となっている。扉Ｄは、このようにして、ドアストッパー１の係止凸部３０及び係止部材５１により開放及び閉鎖が規制される。なお、図７（ｉ）に示すように、カバー体４０を引き上げると、ロック部材７０の係止突起７５がケース本体１０の前側壁２１の上側の係止溝２２に係止され、ロック本体７１の後面７６が係止部材５１の当接突起５２のみに接触し、初期状態に戻るので、図７（ｆ）に示すように、扉Ｄを閉鎖方向Ｙに回動させることができる。
【００５０】
さらにドアストッパーの他の実施の形態について詳細に説明する。図８に示すように、ドアストッパー１０１は、カバー体１０２とケース本体１１０とからなる。カバー体１０２は、図１３に示すように、前壁１０３と、後壁１０４と、右壁１０５と、左壁１０６と、上壁１０７とからなる。前壁１０３は、下部に開口１０３ａが形成され、開口１０３ａの上部に縦長のネジ挿通孔１０３ｂが設けられ、右壁１０５、左壁１０６及び上壁１０７の前部に囲まれて凹部１０９の底を形成する。後壁１０４は、内面両側に略コ字状のガイド凹部１０４ａ，１０４ｂが形成されている。右壁１０５及び左壁１０６には、下端から上部に向かって切り欠き１０５ａ，１０６ａが形成されている。上壁１０７は、半円軸状に形成され、長手方向に向かって、挿通孔１０７ａが設けられている。
【００５１】
ケース本体１１０は、図１２に示すように、底壁１１２と、前側壁１１３と、後側壁１１４と、右側壁１１５と、左側壁１１６とからなる。前側壁１１３は、上端から下部に向かって切り欠き１１３ａが形成され、略中央に開口１１３ｂが設けられている。後側壁１１４は、前記カバー体１０２の後壁１０４のガイド凹部１０４ａ，１０４ｂに案内されるガイド凸部１１４ａ，１１４ｂが設けられている。右側壁１１５及び左側壁１１６には、前記カバー体１０２の切り欠き１０５ａ，１０６ａに摺動可能に案内される摺動凸面１１５ｂ，１１６ｂが設けられている。従って、ケース本体１１０は、カバー体１０２の上下方向に摺動可能に案内される構成となっている。
【００５２】
ケース本体１１０の前記右側壁１１５と左側壁１１６の内側前部には、摺動溝１１５ｃ,１１６ｃが上下方向に伸びるように形成されている。また、ケース本体１１０の下部には、磁石装着室１１７が形成されている。右側壁１１５と左側壁１１６の下部には、磁石装着室１１７に連通する装着孔１１８ａ，１１８ｂが形成されている。右側壁１１５と左側壁１１６の下端外側には、板状の係合部材１１９，１２０が突設されている。  
【００５３】
図８に示すように、ケース本体１１０内には、磁石装置１４０が設けられている。磁石装置１４０は、矩形箱状の収容ケース１４１と、収容ケース１４１の上壁に形成された一対の係止爪１４３ａ、１４４ａと、収容ケース１４１内に収容される磁石１４２とからなる。磁石装置１４０は、ケース本体１１０の底壁１１２開口１１２ａ（図１２参照）から挿入して磁石装着室１１７に装着され、一対の係止爪１４３ａ，１４４ａが磁石装着室１１７内の一側に係止されて、ケース本体１１０に取り付けられる。
【００５４】
ケース本体１１０の前記磁石装着室１１７を挟んだ前後には、上下方向に向かって断面矩形状のガイド路１５０Ａ，１５０Ｂが貫通して形成されている（図１２参照）。この前後のガイド路１５０Ａ，１５０Ｂには、図８に示すように、一対の係止部材１５１が上下方向に摺動可能且つ回動可能に設けられている。係止部材１５１は、矩形軸状に形成され、前面１５１ａの上下に半円状の当接突起１５２，１５３が形成されている。係止部材１５１の前面１５１ａ下部には、前面１５１ａから後面１５１ｂに向かって下降傾斜する傾斜面１５５が形成されている。係止部材１５１の後面１５１ｂ下部には、係止部１５６が形成されている。この係止部１５６には、略Ｖ字状の係止突起１５７が形成されている。
【００５５】
係止部材１５１は、上部の一方の面に支軸１５８が設けられている。一対の係止部材１５１は、前記支軸１５８が内側に配置されるように、対向して設けられている。係止部材１５１は、傾斜面１５５が外側を向いており、係止部１５６が内側を向いている。ケース本体１１０は、図１４に示すように、一対の係止部材１５１を対向して配置することによって、前後に金属製ストッパー板８１の先端８４を係止する係止領域が形成されている。図１１に示すように、前部の係止領域ＷＡは、係止部材１５１の係止部１５６が右側を向いているので、ケース本体１１０の右側壁１１５側の底壁１１２に、前記金属製ストッパー板８１の先端８４を係止する係止凸部１１６ｆが形成されている。後部の係止領域ＷＢは、係止部材１５１の係止部１５６が左側を向いているので、ケース本体１１０の左側壁１１６側の底壁１１２に、前記金属製ストッパー板８１の先端８４を係止する係止凸部１１５ｆが形成されている。
【００５６】
また、ケース本体１１０内には、ロック部材１７０が設けられている。ロック部材１７０は、図８に示すように、ケース本体１１０のガイド路１５０Ａ，１５０Ｂに、係止部材１５１と共に上下方向に摺動可能に設けられた一対のロック本体１７１と、一対のロック本体１７１の上端を連結する連結板１７２と、連結板１７２の上面に形成された一対のガイド爪１７３，１７３を有する。ロック本体１７１は、矩形板状に形成され、外面にガイド突起１７５が設けられている。ロック部材１７０は、一対のガイド爪１７３，１７３が前記したケース本体１１０の摺動溝１１５ｃ,１１６ｃに摺動可能に案内される。摺動溝１１５ｃ，１１６ｃには、素材の弾性によりガイド爪１７３が係止される係止部１２２、１２３が形成されている（図１２参照）。
【００５７】
ロック部材１７０は、一対のロック本体１７１がガイド路１５０Ａ，１５０Ｂ内に摺動可能に配置され、ロック本体１７１の後面１７６が係止部材１５１の当接突起１５２（又は１５２と１５３）に接触する（図１４参照）。ロック部材１７０は、素材の弾性によりガイド爪１７３，１７３がケース本体１１０の摺動溝１１５ｃ，１１６ｃの係止部１２２（又は１２３）に係止されており、ガイド爪１７３，１７３が係止部１２２に係止されている場合には、図１５（ｂ）に示すように、ロック本体１７１の後面１７６が係止部材１５１の当接突起１５２だけに接触し、ガイド爪１７３，１７３が係止部１２３に係止されている場合には、図１５（ｇ）に示すように、ロック本体１７１の後面１７６が係止部材１５１の当接突起１５２及び１５３の両方に接触するようになっている。
【００５８】
ロック部材１７０の一側には、操作レバー１８１が取り付けられている。操作レバー１８１は、ロック部材１７０に係止される一対の係止爪１８２，１８２を有し、ケース本体１１０の開口１１３ｂ及びカバー体１０２の開口１０３ａから外側に突出する。
【００５９】
係止部材１５１は、弾性部材１６０によって下方に付勢され、下部がケース本体１１０の底壁１１２ａから突出する。弾性部材１６０は、バネ部材であって、下端が係止部材１５１の支軸１５８を圧接し、上端がバネホルダー１６１に取り付けられている。前述したように、一対の係止部材１５１，１５１は、支軸１５８，１５８が内側に配置されており、弾性部材１６０が一対の支軸１５８，１５８を同時に押圧する。一対の係止部材１５１，１５１は、ガイド路１５０内に摺動可能に設けられ、弾性部材１６０によって下方に付勢され、一対の支軸１５８，１５８が磁石装置１４０の収容ケース１４１に圧接し、下部がケース本体１１０の底壁１１２から突出している。
【００６０】
バネホルダー１６１は、固定板１６２と、固定板１６２の下面に形成された筒状のバネ受け部１６３と、固定板１６２の左右両側に設けられた係止爪１６４，１６５とからなる。バネ受け部１６３は、ロック部材１７０の連結板１７２に形成された透孔１７４を挿通している。バネホルダー１６１は、係止爪１６４、１６５がケース本体１１０の右側壁１１５と、左側壁１１６に係止されて取り付けられている。バネホルダー１６１のバネ受け部１６３には、前記したバネ部材１６０が差し込んで取り付けられており、バネ部材１６０の下端が係止部材１５１の一対の支軸１５８，１５８を圧接し、一対の係止部材１５１を下方に付勢している。
【００６１】
ケース本体１１０内には、ナット部材１３０が設けれている。 ナット部材１３０は、略矩形状のナット本体１３１とナットケース１３２とからなる。ナット本体１３１の略中央には雌ねじ１３１ａが形成されている。ナットケース１３２は、ナット本体１３１を収容する収容室１３２ａと、収容室１３２ａの前壁に形成され、収容したナット本体１３１の雌ねじ１３１ａと対向する透孔１３２ｂとが形成されている。ナットケース１３２の両側には、嵌合突起１３３，１３３が形成され、嵌合突起１３３，１３３に係止爪１３５，１３５が設けられている。
【００６２】
ケース本体１１０の右側壁１１５と左側壁１１６の内側前部上方には、嵌合溝１１５ｄ、１１６ｄが形成されている。ナット部材１３０は、ナットケース１３２の嵌合突起１３３，１３３が嵌合溝１１５ｄ、１１６ｄに嵌合し、係止爪１３５，１３５が着脱可能に係止され、ケース本体１１０の切り欠き１１３ａに嵌合して取り付けられ、雌ねじ１３１ａがカバー体１０２の前壁１０３に設けられたネジ挿通孔１０３ｂに対向する。カバー体１０２のネジ挿通孔１０３ｂから固定ネジ１３６を差し込んで、固定ネジ１３６をナット部材１３０の雌ねじ１３１ａに締め付けることにより、カバー体１０２をケース本体１１０に固定することができ、固定ネジ１３６を緩めることにより、カバー体１０２内でケース本体１１０を上下方向に摺動させることができる。
【００６３】
ドアストッパー１０１は、上記構成を有し、図１０（ａ），１５（ａ）に示すように、扉Ｄの下端に形成された凹部Ｄ１内に設け、カバー体１０２の挿通孔１０７ａに取付ネジを挿通して扉Ｄにねじ込むことにより、扉Ｄに固定して取り付けられる。金属製ストッパー板８１は、床面Ｆに回動可能に取り付けられている。ドアストッパー１０１は、開放方向によって係止される係止部材１５１が異なる。図１５に示すように、扉Ｄが左側に開放される場合は、後部係止領域ＷＢの係止部材１５１が使用され、扉Ｄが右側に開放される場合は、前部係止領域ＷＡの係止部材１５１が使用されるので、ドアストッパー１０１は、扉Ｄのどの開放方向にも対応させることができる。
【００６４】
図１５に示すように、扉Ｄが左側に開放される場合のドアストッパー１０１について説明するが、右側に開放される場合は、扉Ｄが左側に開放される場合と同じ動きなので説明を省略する。ドアストッパー１０１の初期状態は、図１５（ａ）に示すように、ロック部材１７０のガイド爪１７３，１７３がケース本体１１０の摺動溝１１５ｃ，１１６ｃの係止部１２２に係止されている。ロック本体１７１の後面１７６が係止部材１５１の当接突起１５２だけに接触している。係止部材１５１は、弾性部材１６０の下端が支軸１５８に弾接されて下方に付勢され、後面１５１ｂがガイド路１５０Ｂの後側壁に案内され、支軸１５８，１５８が磁石装置１４０の収容ケース１４１に圧接して、この状態で止められている。さらに、弾性部材１６０の弾性力は、支軸１５８，１５８の中心より前部に作用し、係止部材１５１の後面１５１ｂがガイド路１５０Ｂの後側壁に圧接する。この状態は、仮止め状態（仮保持状態）である。係止部材１５１は、弾性部材１６０によって下方且つ反時計方向（ガイド路１５０Ｂの後側壁に圧接する方向）に付勢されているが、当接突起１５３がロック本体１７１の後面１７６に接触していないので、回動可能である。即ちこの初期状態は、ロック部材１７０が非ロック位置にある非ロック状態である。
【００６５】
図１５（ｂ）に示すように、扉Ｄを開放方向Ｘに回動し、ドアストッパー１０１が金属製ストッパー板８１の上方に移動すると、磁石１４２によって金属製ストッパー板８１が上方に引き上げられ、金属製ストッパー板８１の先端８４がケース本体１１０の底壁１１２に当接し、さらに底壁１１２から突出している係止部材１５１の傾斜面１５５に接触する。磁石１４２により金属製ストッパー板８１を底壁１１２に引き付ける吸引力が、弾性部材１６０の弾性復元力より強く設定していると、金属製ストッパー板８１の先端８４が係止部材１５１の傾斜面１５５に摺接して、図１５（ｃ）に示すように、係止部材１５１を弾性部材１６０の弾性に抗して押し上げる。金属製ストッパー板８１の先端８４は、ケース本体１１０の底壁１１２に摺接して、底壁１１２の係止凸部１１５ｆに係止される。
【００６６】
金属製ストッパー板８１の先端８４が係止凸部１１５ｆに係止されると、金属製ストッパー板８１の係合開口８２が係止部材１５１の下方に位置し、図１５（ｄ）に示すように、係止部材１５１の下部が金属製ストッパー板８１の係合開口８２内に突出する。 扉Ｄは、このようにして、ドアストッパー１０１により開放が規制される。
【００６７】
図１５（ｅ）に示すように、扉Ｄを閉鎖方向Ｙに回動すると、係止部材１５１の係止突起１５７が係合開口８２の周縁に係合し、扉Ｄの閉鎖方向Ｙへの回動が規制される。この回動規制は、弾性部材１６０の弾性力によるもので、仮保持状態（仮止め状態）となっている。図１５（ｆ）に示すように、扉Ｄを閉鎖方向Ｙに、弾性部材１６０の弾性力より強く回動すると、係止部材１５１が支軸１５８を中心として時計方向（ガイド路１５０Ｂの後側壁から離れる方向）に回転し、係止部材１５１の係止突起１５７が係合開口８２の周縁から外れ、扉Ｄは閉鎖方向Ｙに回動する。このように、ドアストッパー１０１は、初期状態において、扉Ｄの仮止めを行うことができる。
【００６８】
図１５（ｄ）に示すように、係止部材１５１の下部が金属製ストッパー板８１の係合開口８２内に突出した状態において。図１５（ｇ）に示すように、操作レバー１８１を押し下げると、ロック部材１７０のガイド爪１７３，１７３がケース本体１１０の摺動溝１１５ｃ，１１６ｃの係止部１２３に係止され、ロック本体１７１の後面１７６が係止部材１５１の当接突起１５２及び当接突起１５３に接触する。係止部材１５１は、弾性部材１６０の下端が支軸１５８に弾接されて下方に付勢され、後面１５１ｂがガイド路１５０Ｂの後側壁に案内され、支軸１５８が磁石装置１４０の収容ケース１４１に圧接して、この状態で止められている。さらに、弾性部材１６０の弾性力は、支軸１５８の中心より前部に作用し、係止部材１５１の後面１５１ｂがガイド路１５０Ｂの後側壁に圧接する。係止部材１５１は、ロック本体１７１とガイド路１５０Ｂの後側壁に挟み込まれ、回動不能のロック状態（本止め状態）となっている。扉Ｄは、このようにして、ドアストッパー１０１の係止凸部１１５ｆ及び係止部材１１５により開放及び閉鎖が規制される。
【００６９】
図１５（ｈ）に示すように、扉Ｄを閉鎖方向Ｙに回動すると、係止部材１５１の係止突起１５７が係合開口８２の周縁に係合し、扉Ｄの閉鎖方向Ｙへの回動が完全に規制される。この回動規制は、ロック部材１７０によるもので、完全保持状態（本止め状態）となっている。従って、扉Ｄを閉鎖方向Ｙにより強く回動しても、係止部材１５１の係止突起１５７が係合開口８２の周縁から外れることはない。このように、ドアストッパー１０１は、ロック状態において、扉Ｄの開閉を完全に阻止することができる。なお、図１５（ｉ）に示すように、操作レバー１８１を引き上げると、ロック部材１７０のガイド爪１７３，１７３がケース本体１１０の摺動溝１１５ｃ，１１６ｃの係止部１２２に係止され、ロック本体１７１のガイド突起１７５がケース本体１１０の係合段部１２４に係合し、ロック本体１７１の後面１７６が係止部材１５１の当接突起１５２のみに接触し、初期状態に戻るので、図１５（ｆ）に示すように、扉Ｄを閉鎖方向Ｙに回動させることができる。
【００７０】
図１５（ｊ）に示すように、操作レバー１８１を押し下げ、ロック部材１７０のガイド爪１７３，１７３がケース本体１１０の摺動溝１１５ｃ，１１６ｃの係止部１２３に係止され、ロック本体１７１の後面１７６が係止部材１５１の当接突起１５２及び当接突起１５３に接触する。このロック本体１７１が係止部材１５１の当接突起１５２及び当接突起１５３に接触して係止部材１５１が回動不能にロックされた状態において、係止部材１５１は、弾性部材１６０の下端が支軸１５８に弾接されて下方に付勢され、後面１５１ｂがガイド路１５０Ｂの後側壁に案内され、支軸１５８が磁石装置１４０の収容ケース１４１に圧接している。
【００７１】
ドアストッパー１０１をロック状態で扉Ｄを開放方向Ｘに回動し、ドアストッパー１０１が金属製ストッパー板８１の上方に移動すると、図１５（ｋ）に示すように、磁石１４２によって金属製ストッパー板８１が上方に引き上げられ、金属製ストッパー板８１の先端８４がケース本体１１０の底壁１１２に当接し、さらに底壁１１２から突出している係止部材１５１の傾斜面１５５に接触する。磁石１４２により金属製ストッパー板８１を底壁１１２に引き付ける吸引力が、弾性部材１６０の弾性復元力より強く設定されていると、金属製ストッパー板８１の先端８４が係止部材１５１の傾斜面１５５に摺接して、図１５（ｌ）に示すように、係止部材１５１を弾性部材１６０の弾性に抗して押し上げる。金属製ストッパー板８１の先端８４は、ケース本体１１０の底壁１１２に摺接して、底壁１１２の係止凸部１１５ｆに係止される。
【００７２】
金属製ストッパー板８１の先端８４が係止凸部１１５ｆに係止されると、金属製ストッパー板８１の係合開口８２が係止部材１５１の下方に位置し、図１５（ｍ）に示すように、係止部材１５１の下部が金属製ストッパー板８１の係合開口８２内に突出する。 扉Ｄは、このようにして、ドアストッパー１０１により開放が規制される。この係止部材１５１は、弾性部材１６０の弾性に抗して上下動可能であるが、ロック本体１７１とガイド路１５０Ｂの後側壁に挟み込まれ、回動不能となっている。扉Ｄは、このようにして、ドアストッパー１０１の係止凸部１１５ｆ及び係止部材１５１により開放及び閉鎖が規制される。なお、図１５（ｉ）に示すように、操作レバー１８１を引き上げると、ロック部材１７０のガイド爪１７３，１７３がケース本体１１０の摺動溝１１５ｃ，１１６ｃの係止部１２２に係止され、ロック本体１７１のガイド突起１７５がケース本体１１０の係合段部１２４に係合し、ロック本体１７１の後面１７６が係止部材１５１の当接突起１５２のみに接触し、初期状態に戻るので、図１５（ｆ）に示すように、扉Ｄを閉鎖方向Ｙに回動させることができる。
【産業上の利用可能性】
【００７３】
本発明は、開閉する扉を開いた状態でロックするドアストッパーに利用可能である。
【符号の説明】
【００７４】
Ｆ  床面
Ｄ  扉
Ｅ  取付ネジ
ＷＡ  前部係止領域
ＷＢ  後部係止領域
１  ドアストッパー
１０  ケース本体
１１  背面壁
１２  底壁
１３  ガイド路
１５  左側壁
１６  右側壁
１７  軸受け凹部
１８  軸受け凹部
２１  前側壁
２２  係止溝
２３  係止溝
２５  後側壁
２６  取付突起
２７  差し込み空間
２９  係止段部
３０  係止凸部
３１  磁石収納部
３２  開口
３３  磁石収納室
３４  磁石
３５  ねじ穴
３６  ねじ穴
４０  カバー体
４１  前板
４２  上板
４３  左板
４４  右板
４５  係合片
４６  係合片
４７  連結突起
５１  係止部材
５１ａ  前面  
５１ｂ  後面
５２  当接突起
５３  当接突起
５４  上壁
５５  傾斜面
５６  係止部
５７  係止突起
５８  支軸
５９  支軸
６０  弾性部材（バネ部材）
６１  バネホルダー
６２  固定板
６３  バネ受け部
６４  係止縁
６５  係止縁
６６  弾性片
６７  係止爪
７０  ロック部材
７１  ロック本体
７２  連結溝部
７３  弾性係止板
７５  係止突起
７６  後面
８１  金属製ストッパー板
８２  係合開口
８３  取付軸
８４  先端
８５  基台
８６  底板
８６ａ  ネジ通し穴
８６ｂ  係合穴
８６ｃ  軸受け部
８７  カバー
８９  矩形状凹部
１０１  ドアストッパー
１０２  カバー体
１０３  前壁
１０３ａ  開口
１０３ｂ  ネジ挿通孔
１０４  後壁
１０４ａ  ガイド凹部
１０４ｂ  ガイド凹部
１０５  右壁
１０５ａ  切り欠き
１０６ａ  切り欠き
１０６  左壁
１０７  上壁
１０７ａ  挿通孔
１０９  凹部
１１０  ケース本体
１１２  底壁
１１２ａ  開口
１１３  前側壁
１１３ａ  切り欠き
１１３ｂ  開口
１１４  後側壁
１１４ａ  ガイド凸部
１１４ｂ  ガイド凸部
１１５  右側壁
１１５ｂ  摺動凸面
１１５ｃ  摺動溝
１１５ｄ  嵌合溝
１１５ｆ  係止凸部
１１６  左側壁
１１６ｂ  摺動凸面
１１６ｃ  摺動溝
１１６ｄ  嵌合溝
１１６ｆ  係止凸部
１１７  磁石装着室
１１８ａ  装着孔
１１８ｂ  装着孔
１１９  係合部材
１２０  係合部材
１２２  係止部
１２３  係止部
１２４  係合段部
１３０  ナット部材
１３１  ナット本体
１３１ａ  雌ねじ
１３２  ナットケース
１３２ａ  収容室
１３２ｂ  透孔
１３３  嵌合突起
１３５  係止爪
１３６  固定ネジ
１４０  磁石装置
１４１  収容ケース
１４２  磁石
１４３ａ  係止爪
１４４ａ  係止爪
１５０Ａ  ガイド路
１５０Ｂ  ガイド路
１５１  係止部材
１５１ａ  前面
１５１ｂ  後面
１５２  当接突起
１５３  当接突起
１５５  傾斜面
１５６  係止部
１５７  係止突起
１５８  支軸
１６０  弾性部材（バネ部材）
１６１  バネホルダー
１６２  固定板
１６３  バネ受け部
１６４  係止爪
１６５  係止爪
１７０  ロック部材
１７１  ロック本体
１７２  連結板
１７３  ガイド爪
１７４  透孔
１７５  ガイド突起
１７６  後面
１８１  操作レバー
１８２  係止爪
【図１】
0006603532.tif 000002
【図２】
0006603532.tif 000003
【図３】
0006603532.tif 000004
【図４】
0006603532.tif 000005
【図５】
0006603532.tif 000006
【図６】
0006603532.tif 000007
【図７】
0006603532.tif 000008
【図８】
0006603532.tif 000009
【図９】
0006603532.tif 000010
【図１０】
0006603532.tif 000011
【図１１】
0006603532.tif 000012
【図１２】
0006603532.tif 000013
【図１３】
0006603532.tif 000014
【図１４】
0006603532.tif 000015
【図１５】
0006603532.tif 000016